(57)【要約】【課題】  外部のコネクタが接続された状態での安定した載置状態を確保可能な薄型化された電子機器を提供する。【解決手段】  本体部３の厚さ方向でのＶＧＡコネクタ１０のＶＧＡコネクタ下面１０ａの位置と本体部３の底面８ａの位置とが略等しい。つまり、従来ＶＧＡコネクタに比べてＶＧＡコネクタ１０の厚さを薄くすることができるので、本体部３の厚さを薄くできる。イーサーコネクタ１１は、支点Ｏを支点に回動自在に設けられたカバー１１ａを備える。このため、本体部３の厚さより厚いコネクタ部６１をイーサーコネクタ１１に接続することができる。表示部２の背面２４にチルトクッション５０が設けられている。表示部２を開いて電子機器１を載置面Ｓに載置したときに、チルトクッション５０が載置面Ｓに当接し、カバー１１ａと載置面Ｓとの干渉を防止し、イーサーネットケーブル６０の接続状態での電子機器１の載置状態の安定性を確保できる。【選択図】図１６
2011065616.tif 000002
【特許請求の範囲】
【請求項１】
表示画面を有する表示部と、
互いに表裏対向する上面および底面を有する本体部と、
前記上面に対して前記表示画面が対向する第１の状態と、前記上面に対して前記表示画面が所定の角度をなす第２の状態との間で、前記本体部に対して前記表示部を回動自在に連結する連結部と
を具備し、
前記本体部は、
前記底面に直交して互いに対向する一対の側面と、
前記一対の側面のうち一方の側面に第１の外部のコネクタと接続可能に設けられた第１のコネクタとを有し、前記第１のコネクタは下面が前記底面に露出して設けられ、
前記表示部は、
前記第２の状態で前記底面より下方に突出し前記本体部の載置された面に当接して、前記面に対する前記底面の所定の傾きを生成する第１の脚部を有する
電子機器。
【請求項２】
請求項１に記載の電子機器であって、
前記底面に直交する厚さ方向での前記第１のコネクタの前記下面の位置と前記底面の位置とが略等しい
電子機器。
【請求項３】
請求項２に記載の電子機器であって、
前記本体部は、前記本体部の前記底面に回動自在に設けられた第２の脚部を有し、
前記第２の脚部は、前記第２の状態で前記面から離間した第１の回動位置と、前記第２の状態で前記面に当接して前記第１の脚部を前記面から浮上させた状態で前記本体部を支持する第２の回動位置との間で回動自在である
電子機器。
【請求項４】
請求項３に記載の電子機器であって、
前記本体部の底面には、前記連結部に近接した位置に設けられ前記第１の回動位置にある前記第２の脚部を収めることが可能な窪み部が形成されている
電子機器。
【請求項５】
請求項４に記載の電子機器であって、
前記第１のコネクタは、外部のディスプレイに映像信号を供給するためのコネクタである
電子機器。
【請求項６】
請求項５に記載の電子機器であって、
前記本体部は、前記第１のコネクタより前面側に設けられた第２のコネクタを更に有し、
前記第２のコネクタは、前記第１のコネクタに比較して前記本体部の前記厚さ方向のサイズが小さい
電子機器。
【請求項７】
表示画面を有する表示部と、
互いに表裏対向する上面および底面を有する本体部と、
前記上面に対して前記表示画面が対向する第１の状態と、前記上面に対して前記表示画面が所定の角度をなす第２の状態との間で、前記本体部に対して前記表示部を回動自在に連結する連結部と
を具備し、
前記本体部は、
前記本体部の前記底面に回動自在に設けられた第２の脚部と、
前記底面に直交して互いに対向する一対の側面と、
前記一対の側面のうち一方の側面に第１の外部のコネクタと接続可能に設けられた第１のコネクタとを有し、前記第１のコネクタは下面が前記底面に露出して設けられ、
前記第２の脚部は、前記第２の状態で前記面から離間した第１の回動位置と、前記第２の状態で前記面に当接して前記表示部を前記面から浮上させた状態で前記本体部を支持する第２の回動位置との間で回動自在である
電子機器。
【請求項８】
請求項７に記載の電子機器であって、
前記底面に直交する厚さ方向での前記第１のコネクタの前記下面の位置と前記底面の位置とが略等しい
電子機器。
【請求項９】
請求項８に記載の電子機器であって、
前記本体部の底面には、前記連結部に近接した位置に設けられ前記第１の回動位置にある前記第２の脚部を収めることが可能な窪み部が形成されている
電子機器。
【請求項１０】
請求項９に記載の電子機器であって、
前記表示部は、前記第２の状態で前記底面より下方に突出し前記面に当接して、前記所定の傾きより小さい傾きを生成する第１の脚部を有する
電子機器。
【請求項１１】
請求項１０に記載の電子機器であって、
前記第１のコネクタは、外部のディスプレイに映像信号を供給するためのコネクタである
電子機器。
【請求項１２】
請求項１１に記載の電子機器であって、
前記本体部は、前記第１のコネクタより前面側に設けられた第２のコネクタを更に有し、
前記第２のコネクタは、前記第１のコネクタに比較して前記本体部の前記厚さ方向のサイズが小さい
電子機器。
【請求項１３】
表示画面を有する表示部と、
互いに表裏対向する上面および底面を有する本体部と、
前記上面に対して前記表示画面が対向する第１の状態と、前記上面に対して前記表示画面が所定の角度をなす第２の状態との間で、前記本体部に対して前記表示部を回動自在に連結する連結部と
を具備し、
前記本体部は、
前記底面に直交して互いに対向する一対の側面と、
前記一対の側面のうち一方の側面に第２の外部のコネクタと接続可能に設けられ、前記一方の側面に露出可能に設けられ前記第２の外部のコネクタに接続される端子部を有する第２のコネクタと、
前記第２のコネクタの前記端子部を開閉するように前記底面側を支点に回動自在に設けられたカバーとを有し、
前記表示部は、
前記第２の状態で前記底面より下方に突出し前記本体部の載置された面に当接して、前記カバーが開放されているときに前記カバーと前記面との干渉を回避するように前記面に対する前記底面の所定の傾きを生成する第１の脚部を有する
電子機器。
【請求項１４】
請求項１３に記載の電子機器であって、
前記カバーは、前記第２のコネクタの下面及び前記端子部を覆う断面Ｌ字形状を有する
電子機器。
【請求項１５】
請求項１４に記載の電子機器であって、
前記底面に直交する厚さ方向での前記カバーの下面の位置と前記底面の位置とが略等しい
電子機器。
【請求項１６】
請求項１５に記載の電子機器であって、
前記本体部は、前記本体部の前記底面に回動自在に設けられた第２の脚部を有し、
前記第２の脚部は、前記第２の状態で前記面から離間した第１の回動位置と、前記第２の状態で前記面に当接して前記第１の脚部を前記面から浮上させた状態で前記本体部を支持する第２の回動位置との間で回動自在である
電子機器。
【発明の詳細な説明】
【技術分野】
【０００１】
本発明は、折り畳み式のノート型パーソナルコンピュータ等の電子機器に関する。
【背景技術】
【０００２】
従来、折り畳み式のノート型パーソナルコンピュータ（Ｐｅｒｓｏｎａｌ  Ｃｏｍｐｕｔｅｒ  以下、ＰＣという。）等の電子機器は、キーボードを備えた本体部と、本体部に対して回動自在に連結された表示部とを備えている。本体部の側面には、情報通信用ケーブルの一端のコネクタ部が接続されるコネクタが設けられ、電子機器の本体部の底面には、キーボードを傾斜させた状態で机上等に載置するために、本体部に対して回動自在に脚部材が設けられている（例えば、特許文献１参照。）。
【先行技術文献】
【特許文献】
【０００３】
【特許文献１】特開平５−１１９８８５号公報（段落［０００６］、［０００７］、図２、図３）
【発明の概要】
【発明が解決しようとする課題】
【０００４】
しかしながら、近年、このようなノート型ＰＣの薄型化が進んでいる。このため、ノート型ＰＣのコネクタに情報通信用ケーブルの所定の厚さのコネクタ部が接続されると、このコネクタ部の厚さによっては、ノート型ＰＣの本体部の底面よりコネクタ部の底面が下方に位置することになる。上述した脚部材は、コネクタ部の厚さを考慮して構成されていないため、ノート型ＰＣを机上等に載置したときにノート型ＰＣの載置状態の安定性を確保することが難しい、という問題がある。
【０００５】
以上のような事情に鑑み、本発明の目的は、外部のコネクタが接続された状態での安定した載置状態を確保可能な薄型化された電子機器を提供することにある。
【課題を解決するための手段】
【０００６】
上記目的を達成するため、本発明の一形態に係る電子機器は、表示部と、本体部と、連結部とを具備する。上記表示部は、表示画面を有する。上記本体部は、互いに表裏対向する上面および底面を有する。上記連結部は、上記上面に対して上記表示画面が対向する第１の状態と、上記上面に対して上記表示画面が所定の角度をなす第２の状態との間で、上記本体部に対して上記表示部を回動自在に連結する。上記本体部は、上記底面に直交して互いに対向する一対の側面と、上記一対の側面のうち一方の側面に第１の外部のコネクタと接続可能に設けられた第１のコネクタとを有し、上記第１のコネクタは下面が上記底面に露出して設けられている。上記表示部は、上記第２の状態で上記底面より下方に突出し上記本体部の載置された面に当接して、上記面に対する上記底面の所定の傾きを生成する第１の脚部を有する。
【０００７】
本発明では、本体部は、一対の側面のうち一方の側面に第１のコネクタを備え、第１のコネクタは下面が本体部の底面に露出して設けられている。このような第１のコネクタを備えることで、本体部の厚さを薄くすることができ、結果的に、電子機器の厚さを薄型化することができる。また、表示部が、本体部の上面に対して表示画面が所定の角度をなす第２の状態で本体部の底面より下方に突出し本体部の載置された面に当接して、面に対する本体部の底面の所定の傾きを生成する第１の脚部を有する。このため、本体部を面に載置したときに、本体部の底面の下方に隙間を形成することができ、第１のコネクタに第１の外部のコネクタを接続した状態において、第１のコネクタと本体部の載置された面との干渉を防止することができる。この結果、電子機器の安定した載置状態を確保することができる。
【０００８】
上記底面に直交する厚さ方向での上記第１のコネクタの上記下面の位置と上記底面の位置とが略等しくなるようにしてもよい。
これにより、第１のコネクタの下面と、本体部の底面とを同一平面内に位置させて、第１のコネクタの下面より本体部の底面が下方に位置する場合に比べて、本体部の厚さを薄くすることができる。
【０００９】
上記本体部は、上記本体部の上記底面に回動自在に設けられた第２の脚部を有し、上記第２の脚部は、上記第２の状態で上記面から離間した第１の回動位置と、上記第２の状態で上記面に当接して上記第１の脚部を上記面から浮上させた状態で上記本体部を支持する第２の回動位置との間で回動自在であるようにしてもよい。
これにより、第２の脚部を回動させ本体部の底面から突出させて本体部の載置された面に載置することで、面に対する本体部の底面の傾きを上記所定の傾きより大きくすることができる。このため、より厚い第１の外部のコネクタが第１のコネクタに接続されたときにも、第１の外部のコネクタと面との干渉を防止することができる。
【００１０】
上記本体部の底面には、上記連結部に近接した位置に設けられ上記第１の回動位置にある上記第２の脚部を収めることが可能な窪み部が形成されているようにしてもよい。
これにより、窪み部に第２の脚部を収めることができる。
【００１１】
上記第１のコネクタは、外部のディスプレイに映像信号を供給するためのコネクタであるようにしてもよい。
これにより、第１のコネクタに外部のディスプレイに映像信号を供給するためのコネクタを接続することができる。
【００１２】
上記本体部は、上記第１のコネクタより前面側に設けられた第２のコネクタを更に有し、上記第２のコネクタは、上記第１のコネクタに比較して上記本体部の上記厚さ方向のサイズが小さくなるようにしてもよい。
【００１３】
これにより、本体部の前面側とは反対側に近づくにつれ本体部の底面と本体部の載置される面との間の距離が大きくなるため、第１の外部のコネクタと面との干渉を確実に防止することができる。
【００１４】
本発明の一形態に係る電子機器は、表示部と、本体部と、連結部とを有する。上記表示部は、表示画面を有する。上記本体部は、互いに表裏対向する上面および底面を有する。上記連結部は、上記上面に対して上記表示画面が対向する第１の状態と、上記上面に対して上記表示画面が所定の角度をなす第２の状態との間で、上記本体部に対して上記表示部を回動自在に連結する。上記本体部は、上記本体部の上記底面に回動自在に設けられた第２の脚部と、上記底面に直交して互いに対向する一対の側面と、上記一対の側面のうち一方の側面に第１の外部のコネクタと接続可能に設けられた第１のコネクタとを有し、上記第１のコネクタは下面が上記底面に露出して設けられ、上記第２の脚部は、上記第２の状態で上記面から離間した第１の回動位置と、上記第２の状態で上記面に当接して上記表示部を上記面から浮上させた状態で上記本体部を支持する第２の回動位置との間で回動自在である。
【００１５】
本発明では、本体部は、一対の側面のうち一方の側面に第１のコネクタを備え、第１のコネクタは下面が本体部の底面に露出して設けられている。このような第１のコネクタを備えることで、本体部の厚さを薄くすることができ、結果的に、電子機器の厚さを薄型化することができる。また、第２の脚部を第２の回動位置に回動させ本体部の底面から突出させて面に載置したときに、表示部を面から浮上させることができる。この結果、本体部の底面の下方に隙間を形成することができ、第１のコネクタに第１の外部のコネクタを接続した状態において、第１のコネクタと面との干渉を防止することができる。この結果、電子機器の安定した載置状態を確保することができる。
上記底面に直交する厚さ方向での上記第１のコネクタの上記下面の位置と上記底面の位置とが略等しくなるようにしてもよい。
これにより、第１のコネクタの下面と、本体部の底面とを同一平面内に位置させて、本体部の厚さを薄くすることができる。
【００１６】
上記本体部の底面には、上記連結部に近接した位置に設けられ上記第１の回動位置にある上記第２の脚部を収めることが可能な窪み部が形成されているようにしてもよい。
これにより、窪み部に第２の脚部を収めることができる。
【００１７】
上記表示部は、上記第２の状態で上記底面より下方に突出し上記面に当接して、上記所定の傾きより小さい傾きを生成する第１の脚部を有するようにしてもよい。
【００１８】
これにより、本体部の上面に対して表示画面が所定の角度をなす第２の状態にして、第２の脚部を窪み部内に収め、本体部を面に載置したときに、本体部の底面の下方に隙間を形成することができ、第２のコネクタに第２の外部のコネクタを接続した状態において、第２のコネクタと面との干渉を防止することができる。
【００１９】
上記第１のコネクタは、外部のディスプレイに映像信号を供給するためのコネクタであるようにしてもよい。
これにより、第１のコネクタに外部のディスプレイに映像信号を供給するためのコネクタを接続することができる。
【００２０】
上記本体部は、上記第１のコネクタより前面側に設けられた第２のコネクタを更に有し、上記第２のコネクタは、上記第１のコネクタに比較して上記本体部の上記厚さ方向のサイズが小さくなるようにしてもよい。
これにより、本体部の前面側に近づくにつれ本体部の底面と、本体部の載置される面との間の距離が小さくなる。つまり、逆に、本体部の前面側から離れるにつれ本体部の底面と、本体部の載置される面との間の距離が大きくなる。このため、第１の外部のコネクタと面との干渉を確実に防止することができる。
【００２１】
本発明の一形態に係る電子機器は、表示部と、本体部と、連結部とを有する。上記表示部は、表示画面を有する。上記本体部は、互いに表裏対向する上面および底面を有する。上記連結部は、上記上面に対して上記表示画面が対向する第１の状態と、上記上面に対して上記表示画面が所定の角度をなす第２の状態との間で、上記本体部に対して上記表示部を回動自在に連結する。上記本体部は、上記底面に直交して互いに対向する一対の側面と、上記一対の側面のうち一方の側面に第２の外部のコネクタと接続可能に設けられ、上記一方の側面に露出可能に設けられ上記第２の外部のコネクタに接続される端子部を有する第２のコネクタと、上記第２のコネクタの上記端子部を開閉するように上記底面側を支点に回動自在に設けられたカバーとを有し、上記表示部は、上記第２の状態で上記底面より下方に突出し上記本体部の載置された面に当接して、上記カバーが開放されているときに上記カバーと上記面との干渉を回避するように上記面に対する上記底面の所定の傾きを生成する第１の脚部を有する。
【００２２】
本発明では、本体部が、一方の側面に露出可能に設けられた端子部を有する第２のコネクタと、第２のコネクタの端子部を開閉するように底面側を支点に回動自在に設けられたカバーとを備える。このため、本体部の厚さが第２の外部のコネクタの厚さがより薄いとき、つまり、第２の外部のコネクタの厚さが本体部の厚さより厚いときでも、カバーを開いて第２の外部のコネクタを第２のコネクタに接続することができる。また、第２のコネクタの未使用時には、カバーを閉じることで、第２のコネクタの端子部を保護することができる。また、表示部が、第２の状態で本体部の底面より下方に突出して本体部の載置された面に当接し、面に対する本体部の底面の所定の傾きを生成する第１の脚部を有する。このため、本体部を面に載置したときに、本体部の底面の下方に隙間を形成することができ、第２のコネクタに第２の外部のコネクタを接続した状態において、開放されているカバーと面との干渉を防止することができる。この結果、電子機器の安定した載置状態を確保することができる。
【００２３】
上記カバーは、上記第２のコネクタの下面及び上記端子部を覆う断面Ｌ字形状を有するようにしてもよい。
これにより、底面の支点に対してカバーを回動させて第２のコネクタの接続部を露出させて、本体部の厚さより厚い第２の外部のコネクタを接続部に接続することができる。
【００２４】
上記底面に直交する厚さ方向での上記カバーの下面の位置と上記底面の位置とが略等しくなるようにしてもよい。
これにより、カバーの下面と、本体部の底面とを同一平面内に位置させて、本体部の厚さを薄くすることができる。
【００２５】
上記本体部は、上記本体部の上記底面に回動自在に設けられた第２の脚部を有し、上記第２の脚部は、上記第２の状態で上記面から離間した第１の回動位置と、上記第２の状態で上記面に当接して上記第１の脚部を上記面から浮上させた状態で上記本体部を支持する第２の回動位置との間で回動自在であるようにしてもよい。
これにより、第２の脚部を回動させ本体部の底面から突出させて本体部の載置された面に載置することで、面に対する本体部の底面の傾きを上記所定の傾きより大きくすることができる。このため、第２の外部のコネクタの厚さより厚い第１の外部のコネクタが第１のコネクタに接続されたときにも、第１の外部のコネクタと面との干渉を防止することができる。
【００２６】
さらに、本発明に係る電子機器は、上記本体の上面に露出するように配置され、利用者による押下の操作が行われることが可能とされ、光拡散性を有する導光材料からなり、上記一対の側面のうちの一方の側面に突出した部分を導光体露出部として有するボタン部本体と、前記ボタン部本体に光を照射する光源とをさらに具備する。
【００２７】
この構成によれば、表示部を閉じて本体部と重ね合わせた状態でも、電子機器の側面に突出した導光体露出部の発光状態を利用者が視認できる。これにより、電子機器の状態を表示する機能を兼ね備えたボタン部を本体部の上面に露出して配置した電子機器を実現することができ、機器全体の薄型化を図ることができる。
【００２８】
上記ボタン部本体は、電子機器に電源を投入するために操作されるものとしてもよい。
【００２９】
上記ボタン部本体は、利用者により押下された際の反発力を発生する板バネ部を一体に設けたものとしてもよい。これにより、別途板バネ部に代わる弾性部品を組み込む必要がなくなり、部品点数を減らすことができ、小型化、低コスト化を図ることができる。
【００３０】
上記ボタン部本体は、上記光源からの光の導光において光の乱反射による拡散を発生させるための乱反射部をさらに有するとしてもよい。これにより、乱反射部での光の乱反射による拡散によって、導光体露出部の全体により均等に光が導かれて導光体露出部の全体を均一的に光らせることができる。
【００３１】
上記表示部および上記本体部は、互いに重ね合わされたときに互いに近接する側面領域にＵ字状の溝が形成されるように、それぞれの側面が略中間の高さで頂点となるように膨出させた形状をなし、上記導光体露出部は上記Ｕ字状の溝内に露出するように設けられるようにしてもよい。これにより、導光体露出部の光がＵ字状の溝内で乱反射をし、発光の状態をより際立たせることができる。
【発明の効果】
【００３２】
本発明によれば、外部のコネクタが接続された状態での薄型化された電子機器の安定した載置状態を確保することができる。
【図面の簡単な説明】
【００３３】
【図１】本発明の一実施形態に係る電子機器の開いた状態を示す斜視図である。
【図２】図１に示す電子機器の閉じた状態を示す斜視図である。
【図３】図１に示す電子機器の左側面図である。
【図４】図１に示す電子機器の右側面図である。
【図５】図５（Ａ）はＶＧＡコネクタの正面図、図５（Ｂ）はＶＧＡコネクタの側面図、図５（Ｃ）はＶＧＡコネクタにＶＧＡコネクタケーブルの端部に設けられたコネクタ部が接続された状態を示す断面図である。
【図６】図６（Ａ）はイーサーコネクタの正面図、図６（Ｂ）はイーサーコネクタのカバーを開いた状態を示す正面図、図６（Ｃ）はイーサーコネクタのカバーを開いた状態を示す側面図である。
【図７】図１に示す電子機器の底面図である。
【図８】図７に示す電子機器の底面のボトムチルトフット付近の部分拡大斜視図である。
【図９】図８に示す電子機器のボトムチルトフットを開いた状態を示す部分拡大斜視図である。
【図１０】電子機器のボトムチルトフットの回動機構を示す斜視図である。
【図１１】ボトムチルトフットを閉じた状態での図１０のＡ−Ａ断面図である。
【図１２】ボトムチルトフットを開いた状態での図１０のＡ−Ａ断面図である。
【図１３】図２に示す電子機器の背面図である。
【図１４】図１３に示す電子機器の連結部付近の部分側面図である。
【図１５】図１に示す電子機器の連結部付近の構成を示す断面図である。
【図１６】電子機器のチルトクッションを用いた一実施例を示す側面図である。
【図１７】チルトクッションを用いた他の一実施例を示す側面図である。
【図１８】ボトムチルトフットを用いた一実施例を示す側面図である。
【図１９】第１の変形例の電子機器を示す側面図である。
【図２０】第２の変形例の電子機器を示す側面図である。
【図２１】図２１（Ａ）は従来のＶＧＡコネクタを示す正面図、図２１（Ｂ）は図２１（Ａ）に示すＶＧＡコネクタを示す側面図である。
【図２２】図１に示す電子機器の平面図である。
【図２３】図１に示す電子機器の電源ボタン部を示す斜視図である。
【図２４】図２３に示す電源ボタン部を本体部から取り出して示す斜視図である。
【図２５】図２４に示す電源ボタン部の分解斜視図である。
【図２６】図２４に示す電源ボタン部の４面図である。
【図２７】図２６のＡ−Ａ断面図である。
【図２８】図２４に示す電源ボタン部におけるボタンカバーの４面図である。
【図２９】図２４に示す電源ボタン部におけるボタン部本体の４面図である。
【図３０】図２４に示す電源ボタン部におけるスイッチ筐体の４面図である。
【図３１】図２４に示す電源ボタン部におけるスイッチ基板の４面図である。
【図３２】表示部を閉じた状態での電源ボタン部の状態を示す平面図（ａ）と側面図（ｂ）である。
【図３３】ボタン部本体の拡大図である。
【図３４】ボタン部本体の変形例の拡大図である。
【発明を実施するための形態】
【００３４】
以下、図面を参照しながら、本発明の実施形態を説明する。
＜電子機器の構成＞    Ｇ０６Ｆ    １／００
図１は本発明の一実施形態に係る電子機器の開いた状態を示す斜視図、図２は図１に示す電子機器の閉じた状態（第１の状態）を示す斜視図である。
電子機器１は、表示部２と、本体部３と、これら表示部２と本体部３とを回動自在に連結する連結部４とを備えている。
【００３５】
表示部２は、連結部４を介して本体部３に対して開閉可能である。表示部２は、表示部２の筐体５、表示画面６と、筐体５内に設けられた表示処理を行う図示しないＬＣＤ（Liquid Crystal Display）表示パネルとを備えている。
【００３６】
筐体５は、図示しない表示処理ユニットを収容する表示部２の外装部品である。表示画面６は、画像等の情報を表示するための画面であり、図２に示す閉じた状態で本体部３に対面する。
【００３７】
本体部３は、本体部３の上面側の外装を構成するパームレスト７、本体部３の底面側の外装を構成するボトム８、キーボードユニット９、ＶＧＡ（Video Graphics Array）コネクタ１０、イーサーネットケーブル接続用のイーサーコネクタ１１、図示しない中央処理装置、図示しないハードディスク装置、ＳＳＤ（Solid State Drive）等を備える。
【００３８】
パームレスト７と、ボトム８とは、本体部３の外装部品である。パームレスト７と、ボトム８とは共に略板形状を有し、互いに組み合わされて本体部３の外装面を形成する。キーボードユニット９は、例えば複数のキー等を備えており、電子機器１の入力部として機能する。ＶＧＡコネクタ１０には、ＶＧＡコネクタケーブルの端部に設けられたコネクタ部が接続される。このコネクタ部は、ＶＧＡ端子を有する。ＶＧＡコネクタ１０は、例えばＶＧＡコネクタケーブルを介して図示しない表示処理ユニット（ディスプレイ）に映像信号を供給する。イーサーネットケーブル接続用のイーサーコネクタ１１は、イーサーネットケーブルの端部に設けられたコネクタ部が接続される。中央処理装置は、ボトム８内の多層プリント配線板に実装されている。中央処理装置は、キーボードユニット９やＶＧＡコネクタ１０やイーサーネットケーブル接続用のイーサーコネクタ１１からの入力信号を受けて、演算処理、制御処理、画像処理、表示部２への出力処理などの各種処理を行い、この電子機器１の実質的な機能上の本体として機能する。連結部４は、後述するように、表示部２と本体部３とを回動自在に連結する。図１に示す状態では、パームレスト７（の上面）に対する表示画面６の角度は、鈍角である。
【００３９】
図３は図１に示す電子機器１の左側面図である。
本体部３の左側面３ａには、複数のＬＡＮ（Local Area Network）ケーブル接続用のコネクタ１３、ヘッドホンケーブル接続用のコネクタ１４等が設けられている。ＬＡＮケーブル接続用のコネクタ１３には、ＬＡＮケーブルが接続される。ヘッドホンケーブル用のコネクタ１４には、イヤホン端子が接続される。
【００４０】
図４は図１に示す電子機器１の右側面図である。
本体部３の右側面３ｂには、ＶＧＡコネクタ１０と、イーサーコネクタ１１とが設けられている。ＶＧＡコネクタ１０は、イーサーコネクタ１１より連結部４に近い位置で本体部３の右側面３ｂに設けられている。ＶＧＡコネクタ１０は、ボトム８の底面８ａから露出するＶＧＡコネクタ下面１０ａを有している。本体部３の底面８ａに直交する厚さ方向（図４に示すＺ方向）でのＶＧＡコネクタ１０のＶＧＡコネクタ下面１０ａの位置と底面８ａの位置とが略等しい。ＶＧＡコネクタ下面１０ａは、ボトム８の底面８ａを含むＸＹ平面と同一平面内に位置する。つまり、ＶＧＡコネクタ下面１０ａは、ボトム８の底面８ａから本体部３の厚さ方向（図４に示すＺ方向）に突出していない。イーサーコネクタ１１は、ＶＧＡコネクタ１０に比べて本体部３の前面側に設けられている。イーサーコネクタ１１は、後述するように本体部３の底面８ａ側を支点に回動自在に設けられたカバー１１ａを備えている。同様に、厚さ方向（図４に示すＺ方向）でのイーサーコネクタ１１のカバー１１ａの下面Ｋの位置と底面８ａの位置とが略等しい。イーサーコネクタ１１は、ボトム８の底面８ａから本体部３の厚さ方向（Ｚ方向）に突出していない。イーサーコネクタ１１は、ＶＧＡコネクタ１０に比較して本体部３の厚さ方向（図４に示すＺ方向）のサイズが小さい。
【００４１】
図５（Ａ）はＶＧＡコネクタ１０の正面図、図５（Ｂ）はＶＧＡコネクタ１０の側面図、図５（Ｃ）はＶＧＡコネクタ１０にＶＧＡコネクタケーブルの端部に設けられたコネクタ部が接続された状態を示す断面図である。
【００４２】
ＶＧＡコネクタ１０は、本体部３に内蔵されるように設けられている部品である。ＶＧＡコネクタ１０は、ピンソケット１０Ａと、コネクタ基部１０Ｂとを備えている。
【００４３】
ピンソケット１０Ａには、図示しないＶＧＡケーブルのコネクタ部のＶＧＡ端子が挿入される複数の挿入孔１５が形成された接続端子面１６を備える。これらの各ＶＧＡ端子がそれぞれ挿入孔１５に挿入され、ピンソケット１０ＡにＶＧＡケーブルのコネクタ部が接続される。ピンソケット１０Ａは、コネクタ基部１０ＢよりＹ方向に突出して設けられている。
【００４４】
コネクタ基部１０Ｂは、厚さ方向（図５に示すＺ方向）で、ピンソケット１０ＡのＶＧＡコネクタ下面１０ａより上方に設けられたコネクタ基部底面１０ｂを備えている。つまり、図５（Ａ）に示すように、コネクタ基部１０Ｂは、ＶＧＡコネクタ１０の厚さ方向（Ｚ方向）の上側、奥行き方向（Ｘ方向）の手前側（図５の左側）及び奥側（図５の右側）にピンソケット１０Ａから突出するようにフランジ状に設けられている。
【００４５】
ピンソケット１０Ａの側周面１０Ｃの周りには、側周面１０Ｃに沿うように隙間１７が形成されている（図４，図５（Ｃ）参照）。隙間１７には、ＶＧＡコネクタケーブル６２の端部に設けられたコネクタ部６３の接続部６３Ａが嵌り、挿入孔１５にＶＧＡ端子１８が挿入される。
【００４６】
図６（Ａ）はイーサーコネクタ１１の正面図、図６（Ｂ）はイーサーコネクタ１１のカバー１１ａを開いた状態を示す正面図、図６（Ｃ）はイーサーコネクタ１１のカバー１１ａを開いた状態を示す側面図である。
【００４７】
カバー１１ａは、本体部３の右側面３ｂに対して閉じられた図６（Ａ）に示す状態と、本体部３の右側面３ｂに対して開かれた図６（Ｂ），（Ｃ）に示す状態との間で、支点Ｏを回動軸として本体部３に対して回動自在に設けられている。カバー１１ａの断面形状は、略Ｌ字形状を有している。カバー１１ａが本体部３の右側面３ｂに対して閉じられたときには（図６（Ａ））、イーサーコネクタ１１の端子部１１ｂの一部と下面１１ｃとがカバー１１ａによりカバーされている。このとき、イーサーコネクタ１１の端子部１１ｂの他の一部は露出している。カバー１１ａは、ボトム８の底面８ａから露出する。カバー１１ａが本体部３の右側面３ｂに対して開かれたときには（図６（Ｂ），（Ｃ））、イーサーコネクタ１１の端子部が露出した状態になる。このとき、イーサーコネクタ１１は、イーサーネットケーブル６０の端部に設けられたコネクタ部６１を接続可能な状態となると共に、開かれたカバー１１ａは、ボトム８の底面８ａより厚さ方向（Ｚ方向）で下方に位置する。
【００４８】
＜ボトムチルトフットの構成＞
図７は図１に示す電子機器１の底面図である。
本体部３の底面８ａには、連結部４に近接して一対のボトムチルトフット２０ａ，２０ｂが設けられている。ボトムチルトフット２０ａは、幅方向（図７に示すＹ方向）で左側面３ａ側に設けられており、ボトムチルトフット２０ｂは、幅方向（図７に示すＹ方向）で右側面３ｂ側に設けられている。ボトムチルトフット２０ａ，２０ｂは、それぞれ幅方向（図７に示すＹ方向）に長手方向を有する略矩形の形状を有している。また、ボトム８の底面８ａには、本体部３を載置面に載置するときにクッションとなるクッション部Ｐが複数設けられている。クッション部Ｐは、本体部３の奥行き方向（図８に示すＸ方向）の前面側（手前側）の角付近等に設けられている。
【００４９】
図８は図７に示す電子機器１の底面８ａのボトムチルトフット２０ａ付近の部分拡大斜視図、図９は図８に示す電子機器１のボトムチルトフット２０ａを開いた状態を示す部分拡大斜視図である。
【００５０】
本体部３（ボトム８）の底面８ａには、ボトムチルトフット２０ａが収まる略矩形状の窪み部３１が形成されている。ボトムチルトフット２０ａは、図８に示すように本体部３に対して閉じた状態では、その大部分が窪み部３１に収まる。ボトムチルトフット２０ａは、図９に示すように本体部３に対して開いた状態では、窪み部３１外で本体部３の底面８ａに対して所定の角度で傾斜して位置決めされる。ボトムチルトフット２０ａの先端面２１は、机の上面等の載置面に載置される。
【００５１】
つまり、ボトムチルトフット２０ａは、その長手方向（図８のＹ方向）で左側面３ａに近い側の端部に回動軸部２２を備えている。回動軸部２２は、本体部３の図示しない軸受けに軸支されている。ボトムチルトフット２０ａは、この回動軸部２２の回動軸Ｘａを軸として、本体部３に対して回動自在に設けられている。ボトムチルトフット２０ａの回動軸Ｘａは、奥行き方向（図９に示すＸ方向）と同じ方向である。ボトムチルトフット２０ａを開いた状態では（図９）、ボトムチルトフット２０ａの先端面２１は、回動軸Ｘａより左側面３ａに近い側に設けられる。つまり、本体部３に対するボトムチルトフット２０ａの最大回動角度θは、鈍角となる。
【００５２】
ボトムチルトフット２０ａは、長手方向（図８のＹ方向）の長さが長さＬになっている。この長さＬ及び最大回動角度θ等に応じて、載置面と本体部３の底面８ａとの間に形成される隙間のサイズが定まる。つまり、載置面に対する本体部３の底面８ａの傾斜角度が定まる。長さＬ及び最大回動角度θは、必要となるこの隙間のサイズや底面８ａの傾斜角度等に応じて適宜変更可能である。
【００５３】
窪み部３１の深さは、図８に示すようにボトムチルトフット２０ａを閉じた状態で、ボトムチルトフット２０ａの一部が厚さ方向（図８に示すＺ方向）に底面８ａから突出するようになっている。窪み部３１には、ユーザがボトムチルトフット２０ａを開くためにボトムチルトフット２０ａに指をかけ易くするための傾斜面３２が形成されている。なお、ボトムチルトフット２０ｂについては、本体部３の中心を通るＸ方向に平行な中心軸に対してボトムチルトフット２０ａとほぼ対称な構成を有しているのでその説明を省略する。
【００５４】
図１０は図８に示す電子機器１のボトムチルトフット２０ａの回動機構を示す斜視図、図１１はボトムチルトフット２０ａを閉じた状態での図１０のＡ−Ａ断面図、図１２はボトムチルトフット２０ａを開いた状態での図１０のＡ−Ａ断面図である。
【００５５】
ボトム８の底面８ａには、ボトムチルトフット２０ａの回動軸部２２が収まる略矩形筒状の収容部４１が設けられている。ボトム８の底面８ａには、収容部４１により囲まれた略矩形状の孔４２が形成されている。孔４２内で、回動軸部２２が回動軸Ｘａを軸として回動自在に図示しない軸受けにより軸支されている。ボトム８は、底板４３や対向する一対の保持部４５を備えている。底板４３は、窪み部３１を形成する壁であり、窪み部３１を形成する。一対の保持部４５は、ボトム８の内底面８ｂに突設されている。
【００５６】
板バネ４４の構成材料には、耐久性の向上のために金属が用いられている。板バネ４４は、底板４３に重なって設けられている。板バネ４４の一端部４６は、板バネ４４の底板４３に重なる部分に対して直角に折り曲げられている。この一端部４６は、対向する一対の保持部４５に保持される（図１１，１２参照）。板バネ４４の他端部３８には、ボトムチルトフット２０ａ側に向けて突出する略Ｖ字状の突状部３９が設けられている。
ボトムチルトフット２０ａの回動軸部２２の外周面には、２個の溝２６，２７、及び凹状部２８が形成されている。
【００５７】
溝２６は、断面略凹形状の溝である。溝２６の長手方向（図１０に示すＸ方向）の長さは、板バネ４４の突状部３９の長手方向（図１０に示すＸ方向）の長さより僅かに長い。図１１に示すように本体部３に対してボトムチルトフット２０ａを閉じた状態のときに、突状部３９は、溝２６内に嵌る。
【００５８】
溝２７は、図１１，１２に示すように、溝２６と同形状を有しており、回動軸部２２の外周面に溝２６から離間した位置に形成されている。つまり、図１２に示すように本体部３に対してボトムチルトフット２０ａを開いた状態のときに、突状部３９が溝２７に嵌るように溝２７が形成されている。溝２６，２７の断面形状は、それぞれ突状部３９の形状に応じて適宜変更可能である。
【００５９】
凹状部２８は、回動軸部２２の外周面に、その周方向に沿うように、溝２６及び溝２７の間に形成されている。凹状部２８は、溝２６に対して周方向に離間し、溝２７に対して周方向に離間している。凹状部２８と溝２６との周方向の間隔、凹状部２８と溝２７との周方向の間隔は、適宜変更可能である。凹状部２８のＸ方向の長さは、溝２６及び２７のＸ方向の長さとほぼ同じである。
【００６０】
ボトムチルトフット２０ａには、切り欠き部２９が形成されている。切り欠き部２９は、図１１に示すようにボトムチルトフット２０ａの本体部３に対してボトムチルトフット２０ａを閉じた状態で底板４３に対向する側に形成されている。
【００６１】
＜ボトムチルトフット２０ａの動作＞
次に、ユーザが、ボトムチルトフット２０ａを図１１に示す閉じた状態から図１２に示すように開くときの動作について説明する。
図１１に示すようにボトムチルトフット２０ａを閉じた状態では、ボトムチルトフット２０ａは、ほぼ窪み部３１内に収められる。板バネ４４の突状部３９は、ボトムチルトフット２０ａの溝２６に嵌っており、このとき、板バネ４４は、底板４３に重なっている。
【００６２】
ユーザにより板バネ４４の弾性力に抗する所定の力がボトムチルトフット２０ａに付与されると、突状部３９が溝２６に当接した状態でボトムチルトフット２０ａが回動し始め、突状部３９が第１の周面Ｓ１に当接する。このとき、板バネ４４は、一端部４６を一対の保持部４５に保持された状態で、底板４３から離間するように上昇する。
【００６３】
更に、ボトムチルトフット２０ａに力が付与されると、突状部３９が第１の周面Ｓ１に当接した状態で、ボトムチルトフット２０ａは、板バネ４４からの力を受けながら回動し、突状部３９が凹状部２８内に嵌る。突状部３９が凹状部２８に嵌ってから第２の周面Ｓ２に当接可能な位置までボトムチルトフット２０ａが回動するときには、ボトムチルトフット２０ａは、板バネ４４からの弾性力をほとんど受けない。
【００６４】
更に、ユーザにより板バネ４４の弾性力に抗する所定の力がボトムチルトフット２０ａに付与されると、突状部３９が凹状部２８に当接した状態でボトムチルトフット２０ａが回動し始め、突状部３９が第２の周面Ｓ２に当接する。このとき、板バネ４４は、一端部４６を一対の保持部４５に保持された状態で、底板４３から離間するように上昇する。
【００６５】
更に、ボトムチルトフット２０ａに力が付与されると、突状部３９が第２の周面Ｓ２に当接した状態で、ボトムチルトフット２０ａは、板バネ４４からの力を受けながら回動し、図１２に示すように突状部３９が溝２７内に嵌る。このとき、ユーザは、ボトムチルトフット２０ａのロック感を感じることができる。このようにして、本体部３に対してボトムチルトフット２０ａが所定の回動角度で位置決めされる。
【００６６】
図１３は図２に示す電子機器１の背面図、図１４は図１３に示す電子機器１の連結部４付近の部分側面図、図１５は図１に示す電子機器１の連結部４の構成を示す断面図である。
【００６７】
表示部２は、図１４に示すように連結部４の一部を構成する２個の連結軸部２５を備えている。各連結軸部２５は、表示部２の厚さ方向（図１３に示すＺ方向）に表示部２の本体部３に対面する側の面２３から突出する。各連結軸部２５は、図１５に示すように連結部４の一部を構成する連結軸部３５に回動軸Ｘ´の周りに回動自在に連結ヒンジにより連結されている。
【００６８】
＜チルトクッション＞
表示部２の背面２４（連結軸部２５の背面２４）には、脚部としてのチルトクッション５０が設けられている。各チルトクッション５０は、図１３に示すように略矩形の形状を有し、弾性を有する合成樹脂製である。チルトクッション５０の側面形状は、図１４に示すように略直角三角形である。チルトクッション５０は、図１４に示すように本体部３の厚さ方向（図１４に示すＺ方向）に向けて背面２４からの奥行き方向（図１４に示すＸ方向）の距離が大きくなる傾斜面５０ａを有する。
【００６９】
＜作用等＞
図１６は電子機器１のチルトクッション５０を用いた一実施例を示す側面図である。
本実施例では、本体部３は、本体部３に対して表示部２を開いた状態で載置面Ｓに載置されている（第２の状態）。このとき、複数のクッション部Ｐと２個のチルトクッション５０とで、本体部３は、載置面Ｓに支持されている。載置面Ｓに対する本体部３の底面８ａの角度は、第１の角度θ１になっている。また、本体部３に対してカバー１１ａが開かれ、イーサーネットケーブル６０の端部に設けられたコネクタ部６１がイーサーコネクタ１１に接続されている。コネクタ部６０は、摘み部を備えている。なお、ＶＧＡコネクタ１０には、ＶＧＡコネクタケーブルは接続されていない。このとき、ボトムチルトフット２０ａ，２０ｂは、閉じられて載置面Ｓから離間して設けられる（第１の回動位置）。
【００７０】
本実施例では、電子機器１のＶＧＡコネクタ１０は、ボトム８の底面８ａを含む平面と同一平面内に位置するＶＧＡコネクタ下面１０ａを備える。つまり、本体部３の厚さ方向でのＶＧＡコネクタ１０のＶＧＡコネクタ下面１０ａの位置と底面８ａの位置とが略等しい。図２１に示す従来のＶＧＡコネクタ１０´に比べて、ＶＧＡコネクタ１０は、図２１に示す点線より下方に位置する厚さＴのフランジ状の部分を備えていないので、厚さＴの分、ＶＧＡコネクタ１０の厚さを薄くすることができ、結果的に本体部３の厚さを薄くすることができる。
【００７１】
また、イーサーコネクタ１１は、本体部３の底面８ａ側の支点Ｏを支点に回動自在に設けられたカバー１１ａを備えている。このため、図１６に示すように本体部３の厚さより厚いコネクタ部６１をイーサーコネクタ１１に接続することができる。
【００７２】
また、コネクタ部６１がイーサーコネクタ１１に接続されているときには、カバー１１ａが本体部３の下方に位置する。このため、表示部２がチルトクッション５０を備えない場合には、本体部３に対して表示部２を開いた状態で本体部３を載置面Ｓに載置すると、カバー１１ａと載置面Ｓとが干渉し、本体部３の載置状態が不安定になるおそれがある。
【００７３】
本実施例では、表示部２（の連結軸部２５）の背面２４にチルトクッション５０が設けられている。このため、本体部３に対して表示部２が図１６に示す所定の角度になるまで回動するのに伴い、チルトクッション５０が回動軸Ｘ´の周りに表示部２と一体的に回動する。これにより、チルトクッション５０は、本体部３の底面８ａより下方に位置する。この図１６に示す状態で電子機器１が載置面Ｓに載置されると、載置面Ｓに対して本体部３（ボトム８）の底面８ａが第１の角度θ１で傾斜し、本体部３の底面８ａと載置面Ｓとの間に、カバー１１ａの収まる隙間Ｇが形成される。この結果、カバー１１ａと載置面Ｓとの干渉を防止することができる。このように、表示部２を開いた状態においてイーサーネットケーブル６０の接続状態での電子機器１の載置状態の安定性を確保することができる。
【００７４】
図１７はチルトクッション５０を用いた他の一実施例を示す側面図である。
本実施例以降では、上記実施例と同一の構成部材には同一の符号を付しそれらの説明を省略し異なる箇所を中心に説明する。
本実施例では、イーサーコネクタ１１にコネクタ部６１が接続されているのに加えて、ＶＧＡコネクタケーブル６２の端部に設けられたコネクタ部６３がＶＧＡコネクタ１０に接続されている。
【００７５】
コネクタ部６３の厚さＨ１が本体部３の厚さより僅かに厚い厚さであるときには、ボトムチルトフット２０ａ，２０ｂを開くことなく、チルトクッション５０により形成された隙間Ｇにより、カバー１１ａと載置面Ｓとの干渉、及びコネクタ部６３と載置面Ｓとの干渉を防止することができる。この結果、表示部２を開いた状態においてイーサーネットケーブル６０及びＶＧＡコネクタケーブル６２を接続した状態での本体部３の載置状態の安定性を確保することができる。
【００７６】
図１８は電子機器１のボトムチルトフット２０ａ，２０ｂを用いた一実施例を示す側面図である。
本実施例では、図１８に示すようにＶＧＡコネクタケーブル６５の端部に設けられたコネクタ部６６がＶＧＡコネクタ１０に接続されている。コネクタ部６６の厚さは、本体部３の厚さより厚い厚さＨ２である。このとき、クッション部Ｐとチルトクッション５０とを結ぶ仮想直線Ｎより、コネクタ部６６の少なくとも一部が下方に位置する。つまり、コネクタ部６６の底面６６Ａが本体部３の底面８ａから厚さ方向に出る長さＬ１は、図１７に示すコネクタ部６１（摘み部）が本体部３の底面８ａから厚さ方向に出る長さＬ２より長い。この場合には、ボトムチルトフット２０ａ，２０ｂを開かずに本体部３を載置面Ｓに載置すると、コネクタ部６６と載置面Ｓとが干渉する。この結果、本体部３の載置状態が不安定になるおそれがある。
【００７７】
本実施例では、ボトムチルトフット２０ａ，２０ｂが図１８に示すように第２の回動位置に本体部３の底面８ａに対して開かれている。この状態で、載置面Ｓに対して本体部３のクッション部Ｐ及びボトムチルトフット２０ａ，２０ｂが載置されると、ボトムチルトフット２０ａ，２０ｂが、載置面Ｓに当接して、チルトクッション５０を載置面Ｓから浮上させた状態で本体部３を支持する。このとき、載置面Ｓに対する底面８ａの角度が第１の角度θ１より大きい第２の角度θ２になり、本体部３の底面８ａと載置面Ｓとの間に隙間Ｇ´が形成される。コネクタ部６６の底面６６Ａと載置面Ｓとの間にも隙間が形成されている。この結果、コネクタ部６６と、載置面Ｓとの接触を防止することができ、ＶＧＡコネクタケーブル６２の接続時における電子機器１の載置状態の安定性を確保することができる。
【００７８】
また、本体部３に対して表示部２を開いた状態で本体部３を載置面Ｓに載置した状態で（図１８参照）、ユーザが、入力操作等をするときには、本体部３の奥行き方向（図１８に示すＸ方向）に力が働き易くなる。ボトムチルトフット２０ａ，２０ｂは、奥行き方向（ほぼ図１８に示すＸ方向）に沿う回動軸Ｘａを回動軸として、図９に示すように本体部３に対する最大回動角度θが鈍角となるように回動する。このような構成により、ユーザによる入力操作時において、本体部３に対して奥行き方向（図１８に示すＸ方向）に力が働いても、ボトムチルトフット２０ａ，２０ｂが閉じないようにすることができる。また、ユーザが本体部３を持ちながら容易にボトムチルトフット２０ａ，２０ｂの開閉操作をすることができる。また、ボトムチルトフット２０ａ，２０ｂの開閉状態でのデザイン性を向上させることができる。
【００７９】
図１９は変形例の電子機器を示す側面図である。
上記実施形態では、本体部３の右側面３ｂにＶＧＡコネクタ１０及びイーサーコネクタ１１が設けられている例を示した。しかし、これに限定されず、図１９に示すように、本体部３の左側面３ａにＶＧＡコネクタ１０及びイーサーコネクタ１１を設けるようにしても、上記実施形態と同様の効果を得ることができる。また、本体部３の左側面３ａにＶＧＡコネクタ１０及びイーサーコネクタ１１のうち一方を設け、本体部３の右側面３ｂにＶＧＡコネクタ１０及びイーサーコネクタ１１のうち他方を設けるようにしても、上記実施形態と同様の効果を得ることができる。
【００８０】
本発明は、上記の実施形態に限定されない。本発明は、その技術思想の範囲内で様々に変形して実施することが可能である。
上記実施形態では、表示部２と、ボトムチルトフット２０ａ，２０ｂと、カバー１１ａとが、それぞれ独立に回動可能に設けられている例を示した。しかし、本体部３に対する表示部２の回動に連動してボトムチルトフット２０ａ，２０ｂやカバー１１ａが回動するようにしてもよい。つまり、表示部２が図２に示す閉じた状態から図１に示す開いた状態に回動するのに連動して、ボトムチルトフット２０ａ，２０ｂが図８に示す閉じた状態から図９に示す開いた状態に回動するようにしてもよい。また、表示部２が図２に示す閉じた状態から図１に示す開いた状態に回動するのに連動して、カバー１１ａが図６（Ａ）に示す閉じた状態から図６（Ｃ）に示す開いた状態に回動するようにしてもよい。これにより、本体部３に対して表示部２を開閉するだけで、ボトムチルトフット２０ａ，２０ｂを開閉したりカバー１１ａを開閉したりすることができる。
【００８１】
また、カバー１１ａの開閉に連動して、ボトムチルトフット２０ａ，２０ｂが開閉するようにしてもよい。これにより、イーサーネットケーブルを接続するためにカバー１１ａを開くだけで、ボトムチルトフット２０ａ，２０ｂを開くことができる。
【００８２】
また、図２０は第２の変形例の電子機器を示す側面図である。本体部３´の背面側にＶＧＡコネクタ１０やイーサーコネクタ１１のうち少なくとも一方を配置するようにしても、上記実施形態と同様に又は上記実施形態以上に本体部３´の厚さを薄くすることができると共に、載置面での載置状態の安定性を確保することができる。
【００８３】
＜電源ボタン部の構成＞
次に、電源ボタン部７０について説明する。電源ボタン部７０は、利用者によって押下される操作が可能とされ、利用者により押下操作されたとき電子機器１内のコントローラ（ＥＣ：Ｅｍｂｅｄｄｅｄ Ｃｏｎｔｒｏｌｌｅｒ）にその旨を示す信号を送るものである。コントローラは、電源ボタン部７０より当該信号を受けると、電源部からの電力を電子機器１内の各部に供給し、ＢＩＯＳ（Ｂａｓｉｃ Ｉｎｐｕｔ／Ｏｕｔｐｕｔ Ｓｙｓｔｅｍ）およびオペーレーティングシステムなどのプログラムに従ってシステムを立ち上げるように制御を行う。
【００８４】
電源ボタン部７０は、図１、図２２、図２３に示すように、本体部３の上面の右端に設けられている。
図２４は電源ボタン部７０を本体部３から取り出して示す斜視図、図２５は電源ボタン部７０の分解斜視図、図２６は電源ボタン部７０の４面図、図２７は図２６のＡ−Ａ断面図である。これらの図に示されるように、電源ボタン部７０は、ボタン部８０と、スイッチ基板９０と、これを収容しかつ支持するスイッチ筐体１００とを備える。
【００８５】
ボタン部８０はボタンカバー８１とボタン部本体８２とで構成される。
図２８はボタンカバー８１の４面図である。ボタンカバー８１は、ボタン部本体８２に例えば接着剤などにより固定されている。ボタンカバー８１は例えば、パームレスト７と同様の質感をもつ材料、例えばマジネシウム合金等の、高い剛性と上質感をもつ材料で作製される。ボタンカバー８１の表面には、利用者が一目で電源スイッチを視認可能なようにマーク８３が設けられている。
【００８６】
図２９はボタン部本体８２の４面図である。ボタン部本体８２は、カバー装着部８４と、導光体露出部８５と、一対の連結部８６，８６と、一対の板バネ部８７，８７とを有する。ボタン部本体８２は、導光材料にて一体成型されてなるものである。導光材料としては、光を散乱させる例えば乳白色の樹脂材料などが用いられる。
【００８７】
カバー装着部８４は、ボタンカバー８１が装着される部位である。また、カバー装着部８４の裏面には突起部８８が設けられている。この突起部８８は、利用者によるボタン部８０の操作時にスイッチ筐体１００内のスイッチ基板９０に設けられた電源スイッチ９１の可動板９４の面と当接してこれを押圧する部分である。
【００８８】
導光体露出部８５は、カバー装着部８４のＹ方向（電子機器の幅方向）の一方の端部に延設された板状の部位である。導光体露出部８５のＹ方向の長さは例えば１乃至３ｍｍ程度、Ｘ方向（電子機器の奥行方向）の幅は例えば５乃至１０ｍｍ程度、Ｚ方向の厚さは例えば１乃至２ｍｍ程度である。これらの寸法は設計的に変更可能である。
【００８９】
なお、カバー装着部８４に装着されたボタンカバー８１の上面と導光体露出部８５の上面とは平坦に揃うように、ボタンカバー８１、カバー装着部８４、導光体露出部８５の形状は設計されている。
【００９０】
一対の連結部８６，８６は、スイッチ筐体１００との連結のための部位であり、導光体露出部８５の近傍に互いにＸ方向に沿った仮想的な軸に対して同軸的に設けられている。各々の連結部８６は、軸部８６ａと、軸部８６ａのＸ方向での位置決めのための位置決め部８６ｂとで構成される。軸部８６ａの断面は略円形であり、ボタン部本体８２の軸保持部にて回動自在に保持される。位置決め部８６ｂはボタン部本体８２の軸保持部１０２に保持された軸部８６ａのＸ方向への移動を拘束することで、ボタン部本体８２の軸保持部１０２からの軸部８６ａの離脱を阻止する。ボタン部本体８２は、このように構成された一対の連結部８６によって、スイッチ筐体１００に対して一対の軸部８６ａを支点に回動可能なように支持される。これにより、ボタン部本体８２は、Ｚ軸方向の成分を含む方向に回動し得るように構成される。
【００９１】
一対の板バネ部８７，８７は、ボタン部本体８２において導光体露出部８５が設けられた一方の端部の逆側の端部に各々の一端が固定され、各々の他方の他端部は、スイッチ筐体１００のバネ受け部１０１に当接されている。すなわち板バネ部８７は、カバー装着部８４との固定部８７ａと、スイッチ筐体１００のバネ受け部１０１との当接部８７ｂと、固定部８７ａと当接部８７ｂとの間の板バネ構造部８７ｃとを含む。利用者の指からの押圧によりカバー装着部８４が軸部８６ｂ，８６ｂを支点に回動されたとき、一対の板バネ部８７，８７の板バネ構造部８７ｃ，８７ｃが弾性変形し、利用者の指がリリースされたとき、カバー装着部８４を弾性力で逆向きに回動させて元の状態に復帰させる。
【００９２】
図３０はスイッチ筐体１００の４面図である。スイッチ筐体１００は、電子機器１の本体部３内の例えばマザーボード基板等の上に支持される。スイッチ筐体１００には、本体部３への螺子による固定のための複数の螺子止め部１０３が設けられている。スイッチ筐体１００は、ボタン部８０とスイッチ基板９０を収容可能な空間を有する略直方体形状の筐体である。スイッチ筐体１００は、Ｚ方向の両側がそれぞれ開口され、一方の開口を塞ぐようにしてボタン部８０が配置され、他方の開口を塞ぐようにしてスイッチ基板９０が配置されている。さらに、スイッチ筐体１００は、互いにＸ方向で対向する一対の側板部１０４，１０４を有し、これらの側板部１０４，１０４には、一対の連結部８６，８６それぞれの軸部８６ｂ，８６ｂを個別に回動自在に保持する軸保持部１０２，１０２が設けられている。軸保持部１０２はＹ方向の一端が開放されており、電源ボタン部７０の組み立て時にその開放部分から連結部８６の軸部８６ｂをＹ方向からはめ入れることが可能とされている。
【００９３】
図３１はスイッチ基板９０の４面図である。スイッチ基板９０には、電源スイッチ９１、発光素子９２，９３、および発光素子９２，９３を駆動するドライバ回路（図示せず）などが実装されている。スイッチ基板９０は電子機器１の本体部３と図示しない配線を通じて電気的に接続されている。電源スイッチ９１はボタン部本体８２のカバー装着部８４の下面に突出して設けられた突起部８８により押圧されることによって上下動する可動板９４を備える。電源スイッチ９１は、可動板９４が突起部８８により押圧されて下降したことを電気的に検出して検出信号を電子機器１内のコントローラに出力する。発光素子９２，９３は、例えば発光ダイオードなどである。この電子機器においては、発光素子９２，９３として例えば緑と赤などの２色の発光素子９２，９３が搭載され、電子機器１の動作の状態などに応じて切り替えられて発光駆動される。例えば電源がオンになっているときは緑色の発光素子９２が点灯し、省電力待機状態のときには赤色の発光素子９３が点滅するように、電子機器１の動作の状態に応じて発光素子９２，９３の駆動が制御される。
【００９４】
また、スイッチ基板９０において電源スイッチ９１および発光素子９２，９３が搭載される側と反対側の面には、電子機器１の本体部３内に設けられたマザーボードに一端が接続されたフレキシブルプリント基板（図示せず）の他端が接続されるコネクタ９５が設けられている。これによりスイッチ基板９０と本体部３内のマザーボードとが電気的に接続されるようになっている。ここで、スイッチ基板９０のコネクタ部は、電子機器１を使用時の利用者から見て左端でフレキシブルプリント基板と接続されるように向きが選定されている。すなわち、スイッチ基板９０は、電子機器１のＹ方向の２つの側面のうちスイッチ基板９０に対してより遠い側の側面寄りの位置にコネクタ部がくるような向きで実装されている。これにより、フレキシブルプリント基板の引き回し量を短くすることができる。
【００９５】
さらに、スイッチ基板９０での電源スイッチ９１と発光素子９２，９３との位置関係において、発光素子９２，９３は電子機器１の右側面寄りの位置に配置され、電源スイッチ９１は発光素子９２，９３よりも左側に配置されている。すなわち、発光素子９２，９３は、電源スイッチ９１に比較して、電子機器１のＹ方向の２つの側面のうち発光素子９２，９３自身により近い側の側面寄りの位置に配置されている。これにより、電源スイッチ９１を発光素子９２，９３に比較して当該側面寄りの位置に配置した場合に比べ、発光素子９２，９３の光が当該側面に突出した導光体露出部８５により多く到達し、導光体露出部８５をより明るく光らせることができる。
【００９６】
＜導光体露出部８５による状態表示＞
前述のように、電源ボタン部７０のボタン部本体８２はその全体が導光材料からなる。ボタン部本体８２は導光体露出部８５を有する。図３２は、表示部２を閉じた状態での電源ボタン部７０の状態を示す平面図（ａ）と側面図（ｂ）である。同図に示すように、ボタン部本体８２の導光体露出部８５は、本体部３の側面から突出するように設けられている。ここで、本体部３の側面は略中間の高さで頂点となるように膨出させた形状をなしている。導光体露出部８５の先端は本体部３の側面を膨出させた頂点の位置または頂点付近の位置まで達している。一方、表示部２の側面も同様に略中間の高さで頂点となるように膨出させた形状をなしている。したがって、表示部２を閉じて本体部３と重ね合わせた状態では両者の互いに近接する側面領域にＵ字状の溝１１０が形成されることとなり、そのＵ字状の溝１００内にボタン部本体８２の導光体露出部８５が露出した形態となる。
【００９７】
この電源ボタン部７０においては、スイッチ筐体１００内に発光素子９２，９３が配置されており、これら発光素子９２，９３の上方に導光材料からなるボタン部本体８２が配置されている。したがって、発光素子９２，９３より照射された光のうちボタン部本体８２に入射された光はボタン部本体８２内で拡散され、この結果、ボタン部本体８２は駆動された発光素子に対応した色で光る。ボタン部本体８２の発光は、主に導光体露出部８５を通じて外部に現れ、利用者によって視認される。これにより、利用者は電子機器１の状態を知ることができる。また、ボタン部本体８２の導光体露出部８５は、表示部２と本体部３との間の近接する側面に形成されるＵ字状の溝内に配置されることで、導光体露出部８５の光がＵ字状の溝１１０内の面で乱反射をし、発光の状態をより際立たせることができる。
【００９８】
また、上記のように、この電源ボタン部７０においては、表示部２を閉じて本体部３と重ね合わせた状態でも、電子機器１の側面に突出した導光体露出部８５の発光状態により、電子機器１の状態を利用者が知ることができる。これにより、電子機器１の状態を表示する機能を兼ね備えた電源ボタン部７０を本体部３の上面に露出して配置した電子機器を実現することができ、機器全体の薄型化を図ることができる。
【００９９】
＜ボタン部本体８２の拡散性向上＞
図３３は、ボタン部本体８２の拡大図である。
ボタン部本体８２は、ほぼ平板形状のカバー装着部８４の下面で発光素子９２，９３からの光を受け、その光を様々な方向へ散乱させるのであるが、結果的に光はボタン部本体８２の端に多く集中して全体的な光り方が均一感を欠いたものとなりやすい。そこで、図３３に示すように、ボタン部本体８２には、カバー装着部８４と導光体露出部８５との間に光の乱反射による拡散を発生させる部分として凸部や傾斜部などの乱反射部１２０が設けられている。この乱反射部１２０での光の乱反射による拡散によって、導光体露出部８５の全体により均等に光を導き、導光体露出部８５の全体を均一的に光らせることができる。また、図３３はボタン部本体８２の変形例を示す図である。乱反射部１２０は曲面部を用いて構成することも可能である。
【０１００】
また、この電源ボタン部７０においては、利用者による押圧に対して所要の反発力を生むための手段としての板バネ部８７，８７をボタン部本体８２において一体に設けたので、別途弾性部品を組み込む必要がない。したがって、部品点数を減らすことができ、小型化、低コスト化を図ることができる。
【０１０１】
上記では、電源用のボタンについて説明したが、電源以外のボタンにも本発明を応用することが可能である。
【符号の説明】
【０１０２】
Ｓ  載置面
θ１  第１の角度
θ２  第２の角度
Ｇ  隙間
Ｋ  下面
１  電子機器
２  表示部
３  本体部
３ａ  左側面
３ｂ  右側面
４  連結部８６
６  表示画面
８ａ  底面
１０  ＶＧＡコネクタ
１０ａ  ＶＧＡコネクタ底面
１１  イーサーコネクタ
１１ａ  カバー
１１ｂ  端子部
１１ｃ  下面
２０ａ，２０ｂ  ボトムチルトフット
２５，３５  連結軸部
３１  窪み部
５０  チルトクッション
６０  イーサーネットケーブル
６１，６３，６６  コネクタ部
６２，６５  ＶＧＡコネクタケーブル
【図１】
2011065616.tif 000003
【図２】
2011065616.tif 000004
【図３】
2011065616.tif 000005
【図４】
2011065616.tif 000006
【図５】
2011065616.tif 000007
【図６】
2011065616.tif 000008
【図７】
2011065616.tif 000009
【図８】
2011065616.tif 000010
【図９】
2011065616.tif 000011
【図１０】
2011065616.tif 000012
【図１１】
2011065616.tif 000013
【図１２】
2011065616.tif 000014
【図１３】
2011065616.tif 000015
【図１４】
2011065616.tif 000016
【図１５】
2011065616.tif 000017
【図１６】
2011065616.tif 000018
【図１７】
2011065616.tif 000019
【図１８】
2011065616.tif 000020
【図１９】
2011065616.tif 000021
【図２０】
2011065616.tif 000022
【図２１】
2011065616.tif 000023
【図２２】
2011065616.tif 000024
【図２３】
2011065616.tif 000025
【図２４】
2011065616.tif 000026
【図２５】
2011065616.tif 000027
【図２６】
2011065616.tif 000028
【図２７】
2011065616.tif 000029
【図２８】
2011065616.tif 000030
【図２９】
2011065616.tif 000031
【図３０】
2011065616.tif 000032
【図３１】
2011065616.tif 000033
【図３２】
2011065616.tif 000034
【図３３】
2011065616.tif 000035
【図３４】
2011065616.tif 000036